(57)【要約】【課題】電磁ブレーキ装置の分解作業に際して、電磁ブレーキ装置が備えられる巻上機の種類に制約を受けずに適用できるブレーキコアのガイド装置の提供。【解決手段】本発明に係るブレーキコアのガイド装置は、第１，第２固定軸１５，１６により取り付けられるブレーキブラケット６に固定されるブレーキボディ８と、ブレーキボディ８に取り付けられブレーキコア１０を含む制動部７と、ブレーキコア１０に取り付けられ水平方向に延設されるピン１１に設けたブレーキシュー９Ａと、ブレーキシュー９Ａの当接によって制動されるブレーキディスク５とを備えた電磁ブレーキ装置１にあって、ブレーキコア１０の抜き取り時に用いられ、第２固定軸１６が抜かれた箇所に挿入されるシャフト１３と、シャフト１３に固定され、水平方向にブレーキコア１０を案内する第１，第２支持部材１４Ａ，１４Ｂを含む案内部材とを備えている。【選択図】図４
2015093768.tif 000002
【特許請求の範囲】
【請求項１】
固定軸によって所定箇所に取り付けられるブレーキブラケットと、前記ブレーキブラケットに固定されるブレーキボディと、前記ブレーキボディに取り付けられブレーキコアを含む制動部と、前記ブレーキコアに取り付けられ水平方向に延設されるピンと、前記ブレーキボディに形成され前記ピンが挿入される孔と、前記ピンに取り付けられたブレーキシューと、前記ブレーキシューの当接によって制動されるブレーキディスクとを備えた電磁ブレーキ装置にあって、前記ブレーキコアを抜き取る際に用いられ、
前記固定軸が抜かれた箇所に挿入されるシャフトと、
前記シャフトに固定され、前記ピンの延設方向である水平方向に前記ブレーキコアを案内する案内部材とを備えたことを特徴とするブレーキコアのガイド装置。
【請求項２】
請求項１に記載のブレーキコアのガイド装置において、
前記所定箇所は、エレベータの機械室の床面に固定されるマシンベースに立設されるマシンフレームから成り、
前記電磁ブレーキ装置は、前記ブレーキブラケットを前記マシンフレームに取り付け、上側に配置される第１固定軸と、この第１固定軸の下側に配置される第２固定軸とを備え、
前記シャフトが挿入される前記固定軸は、前記第２固定軸であることを特徴とするブレーキコアのガイド装置。
【請求項３】
請求項１または２に記載のブレーキコアのガイド装置において、
前記案内部材は、前記ブレーキコアの下側部分の一方側に当接する傾斜面を有する第１支持部材と、前記ブレーキコアの下側部分の他方側に当接する傾斜面を有する第２支持部材とを含むことを特徴とするブレーキコアのガイド装置。
【請求項４】
請求項３に記載のブレーキコアのガイド装置において、
前記第１支持部材及び前記第２支持部材のうちの一方を前記シャフトの上側に固定し、他方を前記シャフトの下側に固定したことを特徴とするブレーキコアのガイド装置。
【請求項５】
前記請求項１に記載のブレーキコアのガイド装置を用いて、前記電磁ブレーキ装置に備えられる前記制動部に含まれる前記ブレーキコアを抜き取るブレーキコアの抜き取り方法において、
前記ブレーキブラケットを前記所定箇所に取り付ける前記固定軸を抜き取って、代わりに前記シャフトを挿入し、
前記ピンから前記ブレーキシューを取り外すために前記ブレーキシューと前記ブレーキディスクとの係合を生じない位置まで、前記シャフトを中心に前記ブレーキコアを含む前記制動部を回動させ、
その回動位置で前記ピンから前記ブレーキシューを取り外すとともに、前記シャフトに前記案内部材を固定し、
この状態で前記案内部材によって前記ブレーキコアを前記ピンの延設方向に案内させながら前記ブレーキコアを水平方向に抜き取ることを特徴とするブレーキコアの抜き取り方法。
【発明の詳細な説明】
【技術分野】
【０００１】
本発明は、エレベータを駆動する巻上機等に備えられる電磁ブレーキ装置の分解作業時に使用されるブレーキコアのガイド装置、及びこのガイド装置を用いて行うブレーキコアの抜き取り方法に関する。
【背景技術】
【０００２】
この種の従来技術が特許文献１に記載されている。特許文献１に記載の電磁ブレーキ装置用作業台は、巻上機に備えられる電磁ブレーキ装置に含まれるブレーキコアを水平方向へ抜き取る際に用いられるもの、すなわちブレーキコアのガイド装置であり、この電磁ブレーキ装置用作業台は、ブレーキコアの下方に位置する躯体すなわちマシンフレームの部分に搭載される水平板部と躯体の部分に引っ掛かった状態で固定される固定部とを備えている。
【０００３】
この従来技術は、電磁ブレーキ装置に含まれるブレーキコアを水平方向へ抜き取る際に、ブレーキコアを水平に保持することができるので、ブレーキコアを抜き取る作業者とは別の作業者を要したり、チエーンブロックを使用したりせずにブレーキコアを抜き取ることができる。すなわち、巻上機に備えられる電磁ブレーキ装置の分解作業を比較的容易に行うことができ、分解作業コストを低減させることができる。
【先行技術文献】
【特許文献】
【０００４】
【特許文献１】特開２００７−１６１４６６号公報
【発明の概要】
【発明が解決しようとする課題】
【０００５】
前述した従来技術は、躯体上に設けるようになっているが、躯体の構造によっては取り付けることができない。また、躯体を持たない片持ち構造の巻上機に備えられた電磁ブレーキ装置の分解作業には適用することができない。すなわち、この従来技術は、適用可能な巻上機の種類に制約を受けることがある。また、適用できない場合には、巻上機に備えられた電磁ブレーキ装置の分解作業が大掛かりになり、この分解作業コストが高くなってしまう。
【０００６】
本発明は、前述した従来技術における実情からなされたもので、その目的は、電磁ブレーキ装置の分解作業に際して、電磁ブレーキ装置が備えられる巻上機の種類に制約を受けることなく適用することができるブレーキコアのガイド装置、及びこのガイド装置を用いて行うブレーキコアの抜き取り方法を提供することにある。
【課題を解決するための手段】
【０００７】
前記目的を達成するために、本発明に係るブレーキコアのガイド装置は、固定軸によって所定箇所に取り付けられるブレーキブラケットと、前記ブレーキブラケットに固定されるブレーキボディと、前記ブレーキボディに取り付けられブレーキコアを含む制動部と、前記ブレーキコアに取り付けられ水平方向に延設されるピンと、前記ブレーキボディに形成され前記ピンが挿入される孔と、前記ピンに取り付けられたブレーキシューと、前記ブレーキシューの当接によって制動されるブレーキディスクとを備えた電磁ブレーキ装置にあって、前記ブレーキコアを抜き取る際に用いられ、前記固定軸が抜かれた箇所に挿入されるシャフトと、前記シャフトに固定され、前記ピンの延設方向である水平方向に前記ブレーキコアを案内する案内部材とを備えたことを特徴としている。
【０００８】
また、本発明は、前記ブレーキコアのガイド装置を用いて、前記電磁ブレーキ装置に備えられる前記制動部に含まれる前記ブレーキコアを抜き取るブレーキコアの抜き取り方法において、前記ブレーキブラケットを前記所定箇所に取り付ける前記固定軸を抜き取って、代わりに前記シャフトを挿入し、前記ピンから前記ブレーキシューを取り外すために前記ブレーキシューと前記ブレーキディスクとの係合を生じない位置まで、前記シャフトを中心に前記ブレーキコアを含む前記制動部を回動させ、その回動位置で前記ピンから前記ブレーキシューを取り外すとともに、前記シャフトに前記案内部材を固定し、この状態で前記案内部材によって前記ブレーキコアを前記ピンの延設方向に案内させながら前記ブレーキコアを水平方向に抜き取ることを特徴としている。
【発明の効果】
【０００９】
本発明に係るブレーキコアのガイド装置、及びこのガイド装置を用いて行うブレーキコアの抜き取り方法は、ブレーキブラケットを取り付ける固定軸を抜き取った箇所に挿入されるシャフトに、ブレーキコアを水平方向へ案内する案内部材を固定するようにしたことから、すなわち、ブレーキブラケットの固定に際し必ず設けられる寸法精度の高い固定軸の挿入箇所を活用して案内部材を設けるようにしたことから、電磁ブレーキ装置の分解作業に際して、電磁ブレーキ装置が備えられる巻上機の種類に制約を受けることなく適用することができ、いずれの電磁ブレーキ装置の分解作業時にあっても、作業を短時間で行うことができ、分解作業コストを低減させることができる。
【図面の簡単な説明】
【００１０】
【図１】本発明に係るブレーキコアのガイド装置の一実施形態が適用される電磁ブレーキ装置を示す正面図である。
【図２】図１に示す電磁ブレーキ装置に備えられる制御部に含まれるブレーキコアを示す拡大正面図である。
【図３】図２のＡ−Ａ断面図である。
【図４】本発明に係るブレーキコアのガイド装置の一実施形態を示す正面図である。
【図５】図４の側面図である。
【発明を実施するための形態】
【００１１】
以下、本発明に係るブレーキコアのガイド装置、及びこのガイド装置を用いて行うブレーキコアの抜き取り方法の実施の形態を図面に基づいて説明する。
【００１２】
図１に示すように、巻上機に備えられる電磁ブレーキ装置１は、例えばエレベータの機械室の床面に固定されるマシンベース２と、このマシンベース２に立設されるマシンフレーム３と、このマシンフレーム３の軸４に回転可能に設けられ、巻上機の回転と同期して回転するブレーキディスク５とを有する。また、この電磁ブレーキ装置１は、固定軸によって所定箇所に、例えばマシンフレーム３の取り付け部３ａの背面に固定されるブレーキブラケット６と、このブレーキブラケット６に固定されるブレーキボディ８と、このブレーキボディ８に取り付けられブレーキコア１０を含む制動部７とを有する。
【００１３】
ブレーキブラケット６をマシンフレーム３の取り付け部３ａに固定する前述した固定軸は、上側に配置される第１固定軸１５と、この第１固定軸１５の下側に配置される第２固定軸１６とから成っている。
【００１４】
図２，３に示すように、制動部７は、ブレーキディスク５を挟んで対向して配置され、前述したブレーキボディ８に収容されるブレーキシュー９Ａ，９Ｂを有する。ブレーキシュー９Ａは、ブレーキコア１０に取り付けられて水平方向に延設されるピン１１に取り付けられ、ピン１１を介して前述したブレーキコア１０によって駆動される。ブレーキシュー９Ｂは、ピン１２に取り付けられ、このピン１２はブレーキボディ８に固定してある。ブレーキボディ８にはピン１１が挿入される孔８ａを形成してある。ブレーキコア１０は、水平な姿勢でブレーキボディ８の外部に配置され、固定具によってブレーキボディ８に固定してある。
【００１５】
例えば電磁ブレーキ装置１から制動部７のブレーキコア１０を抜き取る際に用いられる本実施形態に係るブレーキコア１０のガイド装置は、図４，５に示すように、固定軸、例えば前述した第２固定軸１６が引き抜かれた箇所に挿入されるシャフト１３と、このシャフト１３に固定され、ピン１１の延設方向である水平方向にブレーキコア１０を案内する案内部材とを備えている。
【００１６】
前述の案内部材は、ブレーキコア１０の下側部分の一方側に当接する傾斜面１４ａを有する第１支持部材１４Ａと、ブレーキコア１０の下側部分の他方側に当接する傾斜面１４ｂを有する第２支持部材１４Ｂとを含んでいる。
【００１７】
第１支持部材１４Ａ及び第２支持部材１４Ｂのうちの一方、例えば第２支持部材１４Ｂをシャフト１３の上側に固定し、他方すなわち第１支持部材１４Ａをシャフト１３の下側に固定してある。
【００１８】
次に、電磁ブレーキ装置１の分解作業時に、以上のように構成したブレーキコアのガイド装置を用いて、電磁ブレーキ装置１に備えられる制動部７に含まれるブレーキコア１０を抜き取るブレーキコアの抜き取り方法の一実施形態について説明する。
【００１９】
作業者は、まずブレーキブラケット６をマシンフレーム３の取り付け部３ａに取り付けている図２，３に示す第２固定軸１６を抜き取り、抜き取った箇所に、代わりに図４，５に示すようにシャフト１３を挿入する。
【００２０】
次に、ブレーキブラケット６をマシンフレーム３の取り付け部３ａに取り付けている図２，３に示す第１固定軸１５を抜き取る。
【００２１】
ここで、ピン１１からブレーキシュー９Ａを取り外すためにブレーキシュー９Ａとブレーキディスク５との係合を生じない位置まで、シャフト１３を中心にブレーキコア１０を含む制御部７を回動させる。
【００２２】
また、ブレーキコア１０をブレーキボディ８に固定していた固定具を取り外し、ピン１１からブレーキシュー９Ａを取り外す。
【００２３】
この状態でシャフト１３に案内部材を固定する。すなわち、第１支持部材１４Ａを、その傾斜面１４ａがブレーキコア１０の下側部分の一方側に当接するように、シャフト１３の下側に固定する。また、第２支持部材１４Ｂを、その傾斜面１４ｂがブレーキコア１０の下側部分の他方側に当接するように、シャフト１３の上側に固定する。
【００２４】
このような準備を行った後、作業者は図５の矢印に示す水平方向へ電磁ブレーキ装置１のブレーキコア１０を引き抜く。このとき、ブレーキコア１０は一対の傾斜面１４ａ，１４ｂに支えられ、受け止められて水平に保持されながら、これらの一対の傾斜面１４ａ，１４ｂ上を摺動し、ピン１１が孔８ａから抜けて、ブレーキコア１０及びピン１１をブレーキボディ８から抜き取ることができる。
【００２５】
以上のように、本実施形態に係るブレーキコア１０のガイド装置、及びガイド装置を用いて行う本実施形態に係るブレーキコア１０の抜き取り方法は、ブレーキブラケット６を取り付ける第２固定軸１６を抜き取った箇所に挿入されるシャフト１３に、ブレーキコア１０を水平方向へ案内する第１支持部材１４Ａ及び第２支持部材１４Ｂを含む案内部材を固定するようにしてある。すなわち本実施形態は、ブレーキブラケット６の固定に際し必ず設けられる寸法精度の高い第２固定軸１６の挿入箇所を活用して案内部材を設けるようにしたことから、電磁ブレーキ装置１の分解作業に際して、電磁ブレーキ装置１が備えられる巻上機の種類に制約を受けることなく適用することができ、いずれの電磁ブレーキ装置１の分解作業時であっても、作業を短時間で行うことができ、分解作業コストを低減させることができる。
【００２６】
また、本実施形態は、シャフト１３の下側に傾斜面１４ａを有する第１支持部材１４Ａを固定し、シャフト１３の上側に傾斜面１４ｂを有する第２支持部材１４Ｂを固定する構成にしてあることから、多種の形状のブレーキコア１０に下方から傾斜面１４ａ，１４ｂが接触するように、第１支持部材１４Ａ及び第２支持部材１４Ｂをシャフト１３に容易に固定することができ、ブレーキコア１０の抜き取り時に、第１支持部材１４Ａ及び第２支持部材１４Ｂを含む案内部材でブレーキコア１０を精度良くガイドし、ブレーキコア１０を円滑に抜き取ることができる。
【００２７】
なお、前述した実施形態は、電磁ブレーキ装置１の分解作業に適用した場合を例示したが、本発明は電磁ブレーキ装置１の分解作業に限られず、組立作業にも適用することができる。本発明を電磁ブレーキ装置１の組立作業に適用した場合には、組立作業を短時間で行うことができ、組立作業コストを低減させることができる。
【符号の説明】
【００２８】
１    電磁ブレーキ装置
２    マシンベース
３    マシンフレーム
３ａ  取り付け部（所定箇所）
４    軸
５    ブレーキディスク
６    ブレーキブラケット
７    制動部
８    ブレーキボディ
８ａ  孔
９Ａ  ブレーキシュー
９Ｂ  ブレーキシュー
１０    ブレーキコア
１１    ピン
１２    ピン
１３    シャフト
１４Ａ  第１支持部材（案内部材）
１４ａ  傾斜面
１４Ｂ  第２支持部材（案内部材）
１４ｂ  傾斜面
１５    第１固定軸
１６    第２固定軸
【図１】
2015093768.tif 000003
【図２】
2015093768.tif 000004
【図３】
2015093768.tif 000005
【図４】
2015093768.tif 000006
【図５】
2015093768.tif 000007